(57)【要約】【課題】  装置自体を防水構造にしなくても防水効果が得られ、メインテナンス作業の邪魔にならない防水カバーを提供する。【解決手段】  携帯型プリンタ２の底面にねじ等によってホルダおよび第１のカバー部が固定されている。第２のカバー部４が、携帯型プリンタ２を覆った状態で、スナップと面ファスナーにより第１のカバー部に接続されている。防水カバー１の下部には開口部６があり、携帯型プリンタ２から排出された記録媒体１０は、第２のカバー部４の内部のガイド部５に導かれ、開口部６から外部に排出される。メインテナンス作業を行う場合には、スナップは接続したままで面ファスナーのみを外し、第２のカバー部４を、スナップで第１のカバー部につながった状態で、携帯型プリンタ２を覆わない位置まで移動させる。こうして、携帯型プリンタ２を、底面を除いて外部に露出させることによって自由に作業が行える。【選択図】  図１
2006205672.tif 000002
【特許請求の範囲】
【請求項１】
記録媒体に記録を行う記録部を有する装置の一部に固定される、防水性材料からなる第１のカバー部と、
前記第１のカバー部に対して着脱可能であり、可撓性の布状の防水性材料からなる第２のカバー部と、
前記第２のカバー部を第１のカバー部に対して接続する第１の接続部および第２の接続部とを有し、
前記第１の接続部と前記第２の接続部がともに接続された状態では、前記第１のカバー部と前記第２のカバー部が、前記装置から排出される前記記録媒体を通過させるための開口部を除いて、前記装置の外表面を覆い、
前記第１の接続部が接続され、かつ前記第２の接続部が接続解除されている状態では、前記第２のカバー部が、前記装置の外表面を覆わない位置に移動させられて、前記装置の、前記第１のカバー部によって覆われている部分以外の少なくとも一部を外部に露出させることができる、記録部を有する装置の防水カバー。
【請求項２】
前記第２のカバー部の内部には、前記装置から排出された前記記録媒体を前記開口部へ導くためのガイド部が設けられている、請求項１に記載の防水カバー。
【請求項３】
前記第２の接続部は、前記第１の接続部よりも、接続および接続解除の操作が容易なものである、請求項１または２に記載の防水カバー。
【請求項４】
前記第１の接続部は、前記第２の接続部よりも、接続時に高い位置精度を要求されるものである、請求項１〜３のいずれか１項に記載の防水カバー。
【請求項５】
前記第２の接続部は面ファスナーからなる、請求項１〜４のいずれか１項に記載の防水カバー。
【請求項６】
前記第１の接続部はスナップからなる、請求項１〜５のいずれか１項に記載の防水カバー。
【請求項７】
前記第１のカバー部と前記第２のカバー部は、可撓性の布状の防水性合成樹脂によって形成されている、請求項１〜６のいずれか１項に記載の防水カバー。
【請求項８】
前記第１のカバー部は前記装置の一面に沿う板状に形成されており、
前記第２のカバー部は、前記防水性材料を縫製および／またはウェルディングすることによって立体形状に形成されている、請求項１〜７のいずれか１項に記載の防水カバー。
【請求項９】
前記開口部は、前記防水カバーに覆われた状態の前記装置が携帯された時に下方になる位置に設けられている、請求項１〜８のいずれか１項に記載の防水カバー。
【請求項１０】
前記第１のカバー部は、前記装置を携帯するためのホルダとともに前記装置に固定される、請求項１〜９のいずれか１項に記載の防水カバー。
【請求項１１】
請求項１〜１０のいずれか１項に記載の防水カバーと、前記装置に取り付けられる、前記装置を携帯するためのホルダとからなり、
前記ホルダは、前記装置が、前記防水カバーの前記開口部を除く部分に覆われており、使用者が該ホルダを用いて前記装置を携帯するときに、前記開口部が下方に位置するような構成になっている、記録部を有する装置の防水構造。
【発明の詳細な説明】
【技術分野】
【０００１】
本発明は、記録媒体に記録を行う記録部を有するプリンタなどの装置の防水カバーおよび防水構造に関する。
【背景技術】
【０００２】
従来、記録媒体に記録を行う記録部を有するプリンタなどの装置は、室内に設置されて使用される据置型のものが多かった。しかし、近年では、小型軽量の装置や、バッテリー等の電源によって駆動可能な装置が開発されており、また、単に記録媒体に記録を行うのみならず計算機や測定器やディスプレイと一体化された装置が製造されており、これらの装置は、使用者に携帯されて様々な位置で使用されることが望まれる場合がある。その場合、水分が装置内に浸入して障害を起こす可能性があるという問題がある。特に、屋外で使用することが求められる装置の場合、雨天時の防雨対策が必須である。記録媒体に記録する記録部を有する装置には、記録媒体を排出するための排出口が必ず存在するため、装置の筐体自体を完全に密閉されたものにすることはできず、排出口から水分を浸入させる可能性が高い。
【０００３】
そこで、特許文献１〜３に示すように、記録部を有する装置の記録媒体の排出口付近を覆う防水カバーを有する構成が提案されている。
【特許文献１】特公平７−８６４２６号公報
【特許文献２】実開平５−７４６６号公報
【特許文献３】特開平６−４７９８７号公報
【発明の開示】
【発明が解決しようとする課題】
【０００４】
特許文献１〜３に記載の構成はいずれも、装置の、記録媒体の排出口付近のみを防水カバーで覆うものであり、それ以外の部分を覆う防水カバーは設けられていない。これらの構成では、記録媒体の排出口を防水カバーで覆う効果はあるものの、それ以外の部分の防水を図るためには、装置の筐体自体を防水構造にする必要がある。言い換えると、特許文献１〜３は、装置自体を据置型のものとは異なる防水構造とした上で、防水カバーを併用することによってはじめて十分な防水効果が得られるものである。すなわち、使用対象となる装置が防水構造のものに限定され、あらゆる装置に対して適用可能な構成ではない。装置自体を防水構造にするためには、当然、装置自体の構成の複雑化、高コスト化、製造工程の煩雑化を招く。
【０００５】
あらゆる装置を対象として十分な防水効果を得るためには、装置を合成樹脂等からなる剛体の防水ケース内に入れてしまうことが考えられる。しかし、その場合には、例えば、記録媒体の補充および交換やバッテリーの交換などのメインテナンスが必要なときには、防水ケースから装置を取り出してしまわなければ作業が行えない。さらに、使用者が装置を携帯して使用している際には、メインテナンス等の作業中に、装置を取り出した後の防水ケースを一時的に保持しておく場所がない場合もあり、防水ケースが邪魔になる。また、合成樹脂製の剛体の防水ケースは、通常、成形用金型を用いて製造され、収容すべき装置が変わると、成形用金型を設計し直して作り直さなければならないので、生産コストおよび生産効率の点から多種少量生産には適さない。
【０００６】
そこで本発明の目的は、記録媒体に記録する記録部を有する装置自体を防水構造にする必要がなく、この装置の、記録媒体の排出口のみならず必要な部分を覆って十分な防水効果を得ることができ、しかも、記録媒体の補充や交換などのメインテナンス作業時に邪魔にならない防水カバーと、それを含む防水構造を提供することにある。
【課題を解決するための手段】
【０００７】
本発明の防水カバーは、記録媒体に記録を行う記録部を有する装置の一部に固定される、防水性材料からなる第１のカバー部と、第１のカバー部に対して着脱可能であり、可撓性の布状の防水性材料からなる第２のカバー部と、第２のカバー部を第１のカバー部に対して接続する第１の接続部および第２の接続部とを有し、第１の接続部と第２の接続部がともに接続された状態では、第１のカバー部と第２のカバー部が、装置から排出される記録媒体を通過させるための開口部を除いて、装置の外表面を覆い、第１の接続部が接続され、かつ第２の接続部が接続解除されている状態では、第２のカバー部が、装置の外表面を覆わない位置に移動させられて、装置の、第１のカバー部によって覆われている部分以外の少なくとも一部を外部に露出させることができる。この構成によると効率よく十分な防水が図れ、しかも、装置から排出される記録媒体を円滑に外部に排出できる。また、第２の接続部の接続と接続解除によって、装置の防水状態と、メインテナンス等の作業のために装置の一部を露出させた状態とを容易に切り替えることができる。その際、第２のカバー部は第１の接続部によって第１のカバー部に接続されたままにしておけるので、第２のカバー部を別途保管する必要はない。
【０００８】
第２のカバー部の内部に、装置から排出される記録媒体を開口部へ導くためのガイド部が設けられていると、記録媒体の外部への排出がより円滑になり好ましい。
【０００９】
第２の接続部は、第１の接続部よりも、接続および接続解除の操作が容易なものであることが好ましい。また、第１の接続部は、第２の接続部よりも、接続時に高い位置精度を要求されるものであることが好ましい。そして、第２の接続部は面ファスナーであってもよく、第１の接続部はスナップであってもよい。これによって、前記したように、装置の防水状態と、作業のために装置の一部を露出させた状態とを切り替える操作が、容易かつ信頼性高く行うことができる。
【００１０】
第１のカバー部と前記第２のカバー部は、可撓性の布状の防水性合成樹脂によって形成されていることが好ましい。それによって、多少大きさや形状が異なる装置に対しても、あまり隙間を生じずにぴったりと覆うことができる。異なる装置毎に防水カバーの設計および製造を必ずしもやり直さなくてもよいため、生産効率および生産コストの低減が図れる。
【００１１】
第１のカバー部は装置の一面に沿う板状に形成されており、第２のカバー部は、防水性材料を縫製および／またはウェルディングすることによって立体形状に形成されていることが好ましい。この場合、成形用金型を用いて形成するのに比べて、製造コストが低く、かつ設計変更が容易にできる。
【００１２】
開口部は、防水カバーに覆われた状態の装置が携帯された時に下方になる位置に設けられていることが好ましい。それによって、通常の使用環境では、開口部からの水分の浸入を考慮する必要がなくなる。
【００１３】
第１のカバー部は、装置を携帯するためのホルダとともに装置に固定されてもよい。
【００１４】
本発明の防水構造は、前記したいずれかの構成の防水カバーと、装置に取り付けられる、装置を携帯するためのホルダとからなり、ホルダは、装置が、防水カバーの開口部を除く部分に覆われており、使用者がホルダを用いて装置を携帯するときに、開口部が下方に位置するような構成になっている。
【発明の効果】
【００１５】
本発明によると、防水対象となる装置自体を特別な防水構造にしなくても、通常の使用環境では十分な防水効果が得られ、しかも、装置から排出される記録媒体を外部に円滑に排出することができる。また、装置のメインテナンス等の作業を行う場合は、装置の一部を容易に外部に露出させることができ、かつ容易に防水状態に復帰させることができる。その際に、防水カバーが作業の邪魔にならず、しかも外部に保管する必要もないので、非常に作業性がよい。
【発明を実施するための最良の形態】
【００１６】
以下、本発明の実施の形態について図面を参照して説明する。
【００１７】
本発明の防水カバー１は、記録媒体に記録を行う記録部を有する装置、例えば携帯型プリンタ２に装着されるものである。図１には、この防水カバー１を携帯型プリンタ２に装着した状態が示されており、図２，３にはその分解図が示されている。
【００１８】
本実施形態の防水カバー１は、第１のカバー部３と、第２のカバー部４と、第２のカバー部４の内部に取り付けられているガイド部５を主な構成部材としている。第１のカバー部３と第２のカバー部４が、後述する第１および第２の接続部によって接続されて、図１下方に位置する開口部６を除いて、携帯型プリンタ２の外表面を覆っている。この防水カバー１の各構成部材について、以下に具体的に説明する。
【００１９】
第１のカバー部３は、図４に示すように防水性ウレタン等の防水性を有する合成樹脂からなる板状の部材であり、携帯型プリンタ２の１つの面、例えばこの携帯型プリンタ２を水平面上に置いて使用する場合に底面となる面２ａ（図８参照）に取り付けられるように、この底面２ａに沿う形状に形成されている。そして、後述する第１の接続部であるスナップ（「ホック」とも言う）７を構成するスナップ第１部材７ａと、第２の接続部である面ファスナー８を構成する面ファスナー第１部材８ａが設けられている。なお、スナップ７と面ファスナー８は、第１のカバー部３に設けられているスナップ第１部材７ａおよび面ファスナー第１部材８ａと、第２のカバー部４に設けられているスナップ第２部材７ｂおよび面ファスナー第２部材８ｂとから構成されるものである。スナップ第１部材７ａは第１のカバー３を貫通するように取り付けられている。
【００２０】
第２のカバー部４は、図５，６に示すように、第１のカバー部３と同様に防水性ウレタン等の防水性を有する合成樹脂からなる可撓性の布状の材料が、携帯型プリンタ２の外表面の一部、具体的には開口部６に対向する面と底面２ａを除く外表面に沿う立体形状に形成されたものである。第２のカバー部４には、第１のカバー部３のスナップ第１部材７ａに対応する位置に配置されたスナップ第２部材７ｂと、第１のカバー部３の面ファスナー第１部材８ａに対応する位置に配置された面ファスナー第２部材８ｂが設けられている。なお、スナップ第２部材７ｂと面ファスナー第２部材８ｂは、第２のカバー部４を部分的に内側に折り返すことによって、第１のカバー部３のスナップ第１部材７ａおよび面ファスナー第１部材８ａと対向可能である。第２のカバー部４は可撓性の布状の材料からなるので、使用者が任意の位置で自在に折り曲げることができ、スナップ第２部材７ｂおよび面ファスナー第２部材８ｂを、第１のカバー部３のスナップ第１部材７ａおよび面ファスナー第１部材８ａと対向させることが容易にできる。スナップ第２部材７ｂは第２のカバー４を貫通するようにして取り付けられている。
【００２１】
第２のカバー部４には、透明な合成樹脂からなる窓部９が設けられている。この窓部９は、防水カバー１の内部に収容されている装置（携帯型プリンタ２など）を使用者が確認するためのものである。また、第２のカバー部４の内側には、携帯型プリンタ２から排出された記録媒体１０を開口部６へ導く曲面を有するガイド部５が取り付けられている。
【００２２】
第１のカバー部３と第２のカバー部４とは、第１の接続部７および第２の接続部８によって互いに接続される。すなわち、１個所の第１の接続部であるスナップ７と、２個所の第２の接続部である面ファスナー８によって、第１のカバー部３と第２のカバー部４は互いに接続され、その状態で携帯型プリンタ２の外表面の殆どを覆う。しかし、第１のカバー部３と第２のカバー部４が互いに接続された状態で、図１〜３の下方の位置に開口部６が形成される。携帯型プリンタ２の、この開口部６に対向する部分は、防水カバー１により覆われない。
【００２３】
第１のカバー部３と第２のカバー部４の接続部分の詳細について、図７を参照して説明する。第１のカバー部３は、図示しないねじ等によって携帯型プリンタ２の底面２ａに固定される。第２のカバー部４は、携帯型プリンタ２の外形をほぼ覆った状態で、携帯型プリンタ２の底面２ａの上方に位置する部分が内側に２回折り返されることによって、その折り返し部４ａに位置するスナップ第２部材７ｂが、携帯型プリンタ２に固定された第１のカバー部３のスナップ第１部材７ａと対向し、スナップ第１部材７ａとスナップ第２部材７ｂが接続される。一方、第２のカバー部４の、携帯型プリンタ２の底面２ａの側方に位置する部分が内側に折り返されることによって、その折り返し部４ｂに位置する面ファスナー第２部材８ｂが、携帯型プリンタ２に固定された第１のカバー部３の面ファスナー第１部材８ａと対向し、面ファスナー第１部材８ａと面ファスナー第２部材８ｂが接続される。通常、スナップの接続部は水分を浸入させてしまう可能性があるが、本実施形態では、折り返し部４ａが２回折り返されて、防水カバー１の内部、すなわち携帯型プリンタ２に水分が浸入しないような構成になっている。
【００２４】
本実施形態では、第２のカバー部４の、携帯型プリンタ２の底面２ａの上方に位置する部分が折り返されて折り返し部４ａが設けられた後で、携帯型プリンタ２の底面２ａの両側方に位置する部分が折り返されて折り返し部４ｂが設けられている。従って、折り返し部４ａの外側に折り返し部４ｂが重なっている部分が生じている。このように重なった部分が生じても、第２のカバー部４は可撓性を有し、面ファスナー８は、面ファスナー第１部材８ａと面ファスナー第２部材８ｂが部分的に対向するだけでもしっかり固定できるため、信頼性の高い接続が可能である。なお、図７以外の各図面では、簡略化のため、折り返し部４ｂと面ファスナー第２部材８ｂが一体であるように図示している。
【００２５】
次に、本実施形態の防水カバー１によって覆われる携帯型プリンタ２の一例について説明する。図８に示す携帯型プリンタ２は、据置型としても使用可能なものであり、据置型として用いられる場合には、底面２ａが床や机等の設置面上に置かれて使用される。携帯型プリンタ２は、図示しない記録部が内蔵されており、連続紙等の記録媒体１０に所望の画像を記録可能である。ここで言う画像とは、文字や記号や図形や模様等の着色部分の総称である。携帯型プリンタ２の一部には開閉可能な蓋部２ｂが設けられている。図８にはこの蓋部２ｂを開いた状態が示されている。
【００２６】
また、蓋部２ｂに近接して排出口２ｃが設けられている。具体的には、蓋部２ｂの一端面が排出口２ｃの一端面を構成している。すなわち、蓋部２ｂを閉じた状態では、蓋部２ｂの一端面とそれに対向する筐体の端面との間に僅かな隙間が生じ、それが排出口２ｃになっている。携帯型プリンタ２の内部の記録部によって記録された記録媒体１０は、この排出口２ｃから携帯型プリンタ２の外部に排出される。蓋部２ｂを開いた状態では、排出口２ｃおよびその近傍が外部に露出されるため、記録媒体１０のジャム（紙詰まり）を解消するために記録媒体１０を取り除く作業や、記録媒体１０の補充および交換や、記録用インク等の補充および交換など、携帯型プリンタ２の様々なメインテナンス作業を行うことができる。また、この携帯型プリンタ２には、バッテリー１１（図２，３，９参照）の装着口２ｄが設けられており、バッテリー１１によって駆動力を得ている。さらに、携帯型プリンタ２には操作パネル部２ｅが設けられている。
【００２７】
本実施形態では、携帯型プリンタ２を携帯するためのホルダの一例であるストラップホルダ１２（図２，３参照）が設けられている。このストラップホルダ１２は、携帯型プリンタ２の底面２ａに取り付けられて、図示しないが、使用者の身体に装着されるベルトまたはストラップ、例えば腰に巻かれるベルトや肩に担ぐためのストラップなどが取り付けられる取付部１２ａを有している。本実施形態では、このストラップホルダ１２は、第１のカバー部３を間に挟んで携帯型プリンタ２の底面２ａに取り付けられており、図示しないねじ等が、ストラップホルダ１２と第１のカバー部３とを同時に携帯型プリンタ２の底面２ａに固定している。使用者がこのストラップホルダ１２を用いて携帯型プリンタを携帯する場合、携帯型プリンタ２は、図１〜３に示す通りの上下関係で常に一定の姿勢になる。
【００２８】
以上説明した各構成部材を組み合わせた防水構造を構成する場合には、まず、図示しないねじ等によって、ストラップホルダ１２および第１のカバー部３を、携帯型プリンタ２の底面２ａに固定する。これによって、使用者は、ストラップホルダ１２と図示しないストラップ等を用いて携帯型プリンタ２を保持して携帯することができる。次に、第２のカバー部４の折り返し部４ａに位置するスナップ第２部材７ｂを、第１のカバー部３のスナップ第２部材７ａに接続する。これによって、第２のカバー部４が、第１のカバー部３および携帯型プリンタ２から脱落しないように保持される。続いて、第２のカバー部４を携帯型プリンタ２に被せるように配置した状態で、両側方部分を部分的に折り返してその折り返し部４ｂに位置する面ファスナー第２部材８ｂを、第１のカバー部３の面ファスナー第２部材８ａに接続する。
【００２９】
このようにして第１のカバー部３と第２のカバー部４によって携帯型プリンタ２を覆うが、下方に位置する開口部６に対向する部分は覆われずに外部に露出する。前記した通り、ストラップホルダ１２を用いて携帯型プリンタ２を保持する場合には、携帯型プリンタ２は常に一定の姿勢をとり、開口部６は常に下方に位置する。従って、この防水カバー１が携帯型プリンタ２に装着された状態では、下方から上方へ水分が噴き上げることがない限り、開口部６から携帯型プリンタ２に水分が浸入することはない。すなわち、通常の使用環境では、この防水カバー１によって十分な防水効果が得られ、例えば雨天時の屋外でも携帯型プリンタ２を濡らすことなく使用することができる。携帯型プリンタ２自体を特別な防水構造にする必要はない。
【００３０】
携帯型プリンタ２を使用すると、記録が行われた記録媒体１０が排出口２ｃから排出される。本実施形態によると、排出口２ｃから排出された記録媒体１０はガイド部５に当接し、ガイド部５の曲面に沿って下方へ導かれ、開口部６から外部に排出される。すなわち、本実施形態によると、防水カバー１を外さなくても、携帯型プリンタ２から記録媒体１０を排出できる。そして、前記した通り開口部６は下方に位置するため、記録媒体１０を排出するための開口部６によって防水効果が損なわれることはない。
【００３１】
第２のカバー部４は、防水性ウレタン等の合成樹脂からなる可撓性の布状の材料が縫製またはウェルディングされて立体的に形成されたものである。可撓性の布状であるため、折り返し部４ａ，４ｂの折り返し量や折り返し角度等をある程度任意に変えて、携帯型プリンタ２の外表面に沿わせることができる。すなわち、本実施形態によると、可撓性の布状の材料からなる第２のカバー部４を、防水すべき装置（図示されている例では携帯型プリンタ）の形状に合わせて多少変形させることができる。さらに、面ファスナー８は、面ファスナー第１部材８ａと面ファスナー第２部材８ｂの相対位置が正確でなくてもしっかりと接続可能である。従って、多少大きさや形状の異なる様々な装置に対しても、同じ防水カバー１を用いて保護することができ、それらの装置の外形に沿ってぴったり覆うことができる。例えば、防水カバー１の内部で装置が移動するような無駄な隙間がほとんど生じない。
【００３２】
仮に、大きさや形状が大きく異なる装置を用いる場合には、可撓性の布状の材料の裁断や縫製（またはウェルディング）を変えることによって容易に対応できる。従来の剛体の防水ケースのように、成形用金型から変更する必要はなく、製造コストおよび製造効率に優れているため、多種少量の生産にも適している。
【００３３】
このように防水カバー１によって保護された携帯型プリンタ２において、記録媒体１０のジャムの解消や、記録媒体１０の補充および交換や、記録用インク等の補充および交換や、バッテリー１１の装填などのメインテナンス作業を行う場合には、スナップ７は接続したままで面ファスナー８を外すと、第２のカバー部４を、スナップ７のみで第１のカバー部３につながった状態で、図９に示すように携帯型プリンタ２を覆わない位置へ移動させることができる。こうすることにより、携帯型プリンタ２は底面２ａを除いて外部に露出するため、図９に示すようにバッテリー１１を装填したり、蓋部２ｂを開いて様々なメインテナンス作業を行うことができる。このとき、第２のカバー部４はスナップ７で第１のカバー部３につながっているので、作業中に別の場所に保管する必要がなく、また使用者が手で掴んでおく必要もない。特に、第２のカバー部４は可撓性の布状の材料からなるため、図示しないが小さく折り畳むことができ、そうすると、携帯型プリンタ２の保持およびメインテナンス作業の邪魔にならない。ストラップホルダ１２と図示しないストラップを用いて携帯型プリンタ２を身体に装着している場合には、使用者は両手を使って作業を行うことができる。このように、使用者によるメインテナンス等の作業性が非常に良好である。
【００３４】
メインテナンス等の作業が終了したら、第２のカバー部４を、携帯型プリンタ２を覆う位置に再び戻して、面ファスナー第２部材８ｂを面ファスナー第１部材８ａに接続して、図１に示すような防水状態に容易に復帰させることができる。
【００３５】
本実施形態では、第２の接続部として面ファスナー８を採用しているため、前記したようにメインテナンス作業等のために、第２のカバー部４を開いたり閉じたりする作業が非常に簡単に行える。これは、面ファスナー８は、面ファスナー第１部材８ａと面ファスナー第２部材８ｂの相対位置があまり正確でなくても、しっかりと接続することが可能だからである。また、面ファスナー８は、接続部分を通って水分が浸入する可能性が非常に低いので、防水効果を高めるために有効である。
【００３６】
一方、本実施形態では、第１の接続部としてスナップ７を採用している。このスナップ７は、面ファスナー８と比較すると取り外し難いため、図１に示すように面ファスナー８を外して第２のカバー部４を移動させる際に誤って外れてしまい、第２のカバー部４を落下させてしまうことを抑えられる。しかし、使用者が防水カバー１を携帯型プリンタ２から取り外すために意図的にスナップ７を接続解除する際には、容易に外すことができる。また、スナップ７は、スナップ第１部材７ａとスナップ第２部材７ｂの相対位置精度が高くなければ接続できないので、第２のカバー部４を第１のカバー部３に接続する際の位置決めとして作用する。
【００３７】
仮に、第１および第２の接続部がいずれも面ファスナー８であると、着脱作業は容易であるものの、第１のカバー部３と第２のカバー部４の相対位置合わせが精度良く行われず、携帯型プリンタ２を適切に覆うことが困難になる可能性がある。また、図９に示すように第２の接続部のみを外そうとしたときに、誤って第１の接続部も外れてしまい、第２のカバー部４を脱落させるおそれがある。これに対し、仮に、第１および第２の接続部がいずれもスナップであると、装着時に必ず位置合わせが必要であるため煩雑になり、第２のカバー部４を頻繁に開閉するのに適さない。また、大きさや形状が異なる装置に対して、隙間なくぴったり覆うように防水カバーを取り付けることができなくなる。
【００３８】
これらのことから判るように、本実施形態において、第１の接続部にスナップ７を採用し、第２の接続部に面ファスナー８を採用することによって、作業性も信頼性も高い防水カバー１を構成することができる。ただし、本発明の両接続部は、スナップ７および面ファスナー８に限定されることはなく、スナップ７や面ファスナー８と同等の機能を持つあらゆる接続機構を採用することができる。
【００３９】
また、本実施形態では、記録媒体１０を開口部６に導くガイド部５が設けられているため、携帯型プリンタ２の排出口２ｃの位置や排出方向にかかわらず、防水カバー１の開口部６から円滑に記録媒体１０を外部に排出することができる。なお、図示されている例では、携帯型プリンタの一つの面（図１〜３の下方の面）を全体的に露出させる開口部６が構成されているが、第２のカバー部４をもっと屈曲させてその面の一部を覆うようにし、開口部６を小さくすることもできる。
【００４０】
なお、第２のカバー部４を縫製によって立体的に形成する場合には、ウェルディングのように特別な接合装置を必要としないため、製造コストの低減が図れる。その場合、縫い合わせる部分間に両面テープや接着剤層を挿入させて、縫い目からの水分の浸入を抑えることが好ましい。
【００４１】
本発明の防水カバーおよび防水構造の防水対象としては、携帯型プリンタ２に限られず、記録媒体に記録を行う記録部を有するあらゆる装置であってよい。例えば、記録部を有する通信機器、測定器、計算機等が考えられる。特に、雨天の屋外で使用される可能性がある装置に対して、本発明の防水カバーおよび防水構造は非常に効果的である。
【図面の簡単な説明】
【００４２】
【図１】本発明の防水カバーを携帯型プリンタに装着した状態を示す斜視図である。
【図２】図１に示す防水構造の分解図である。
【図３】図１に示す防水構造の、図２とは異なる方向から見た分解図である。
【図４】図１に示す防水カバーの第１のカバー部を示す斜視図である。
【図５】図１に示す防水カバーの第２のカバー部を外側から見た斜視図である。
【図６】図１に示す防水カバーの第２のカバー部を内側から見た斜視図である。
【図７】図１に示す防水カバーの第１および第２の接続部の接続状態を示す模式的断面図である。
【図８】図１に示す防水カバーで覆われる携帯型プリンタを示す斜視図である。
【図９】図１に示す防水カバーの第２のカバー部を移動させた状態を示す斜視図である。
【符号の説明】
【００４３】
１      防水カバー
２      携帯型プリンタ
２ａ    底面
２ｂ    蓋部
２ｃ    排出口
２ｄ    装着口
２ｅ    操作パネル部
３      第１のカバー部
４      第２のカバー部
４ａ，４ｂ      折り返し部
５      ガイド部
６      開口部
７      第１の接続部（スナップ）
７ａ    スナップ第１部材
７ｂ    スナップ第２部材
８      第２の接続部（面ファスナー）
８ａ    面ファスナー第１部材
８ｂ    面ファスナー第２部材
９      窓部
１０    記録媒体
１１    バッテリー
１２    ストラップホルダ
【図１】
2006205672.tif 000003
【図２】
2006205672.tif 000004
【図３】
2006205672.tif 000005
【図４】
2006205672.tif 000006
【図５】
2006205672.tif 000007
【図６】
2006205672.tif 000008
【図７】
2006205672.tif 000009
【図８】
2006205672.tif 000010
【図９】
2006205672.tif 000011